(57)【要約】【課題】測定環境の影響を受けることなく変復調器のコンスタレーションを容易に表示できるコンスタレーション表示装置を提供する。【解決手段】デジタル変復調器１０は、Ｉ／Ｑ相データを伝送路１５によりＰＣ２０に送出する。ＰＣ２０は、制御回路２１、表示部２２、データメモリ２５を備え、変復調器１０から送られてくるＩ／Ｑ相データをデータメモリ２５に保存する。制御回路２１は、変復調器１０から送られてきたＩ／Ｑ相データあるいはデータメモリ２５から読出したＩ／Ｑ相データに基づいてＩ／Ｑコンスタレーションを表示部２２にモニタ表示する。また、制御回路２１は、表示部２２に表示するＩ／Ｑ相データの変調方式に基づいてＩ／Ｑコンスタレーション表示画面にマッピングの境界線を表示する。【選択図】      図１
2010021861.tif 000002
【特許請求の範囲】
【請求項１】
無線装置のデジタル復調器から伝送路を介して送出されるＩ／Ｑ相データを監視装置にて受信し、該受信データに基づいてＩ／Ｑコンスタレーションをモニタ表示するコンスタレーション表示装置であって、
前記監視装置は、前記デジタル復調器から伝送路を介して送出されるＩ／Ｑ相データを受信する受信手段と、前記受信手段で受信されたＩ／Ｑ相データを保存するデータメモリと、データを表示するための表示部と、前記受信手段で受信したＩ／Ｑ相データあるいは前記データメモリに保存されたＩ／Ｑ相データに基づいてＩ／Ｑ平面とＩ／Ｑコンスタレーションを前記表示部にモニタ表示するコンスタレーション表示手段と、前記表示部に表示するＩ／Ｑ相データの変調方式に基づいて前記Ｉ／Ｑ平面上に前記受信データのシンボル判定に用いる境界線を表示する境界線表示手段とを具備することを特徴とするコンスタレーション表示装置。
【発明の詳細な説明】
【技術分野】
【０００１】
本発明は、デジタル移動体通信を行う無線装置において、デジタル変復調器のコンスタレーションをモニタリングするコンスタレーション表示装置に関する。
【背景技術】
【０００２】
従来、例えばＨＦ帯ないしＵＨＦ帯でデジタル移動体通信を行う無線装置においては、該無線装置の動作を監視するためにデジタル変復調器のコンスタレーションをモニタリングすることが行われている。上記変復調器のコンスタレーションをモニタリングする場合、従来では変復調器のＩ／Ｑ（In Phase Signal／Quadrature Signal）相の出力端をそれぞれ同軸ケーブルによりデジタルオシロスコープに接続し、このオシロスコープに変復調器のコンスタレーションを表示して測定及び動作確認を行っている。
【０００３】
しかし、上記のように変復調器に同軸ケーブルによりオシロスコープを接続してコンスタレーションを表示する方法では、デバックや測定環境を作るのに手間が掛かるという問題があり、また、変復調器を収納しているケースの蓋を開口できない等の環境的な理由で変復調器にケーブルを接続することができない場合には測定や動作確認を行うことができない。
【０００４】
また、本発明に関連する公知技術として、狭帯域の１回線で静止画等のデータと音声の多重通信を可能にしたデジタル無線装置が知られている（例えば、特許文献１参照。）。
【特許文献１】特開２００４−２０１１３１
【発明の開示】
【発明が解決しようとする課題】
【０００５】
無線装置における変復調器のコンスタレーションをモニタリングする場合、従来のように変復調器にオシロスコープを接続してコンスタレーションを表示する方法では、デバックや測定環境を作るのに手間が掛かり、また、機器ケースの蓋を開口できない等の理由で変復調器にケーブルを接続することができない場合には測定や動作確認を行うことができないという問題がある。
【０００６】
本発明は上記の課題を解決するためになされたもので、測定環境の影響を受けることなく変復調器のコンスタレーションを容易にモニタリングできると共に、解析する際に必要な情報をロギングできるコンスタレーション表示装置を提供することを目的とする。
【課題を解決するための手段】
【０００７】
本発明は、無線装置のデジタル復調器から伝送路を介して送出されるＩ／Ｑ相データを監視装置にて受信し、該受信データに基づいてＩ／Ｑコンスタレーションをモニタ表示するコンスタレーション表示装置であって、
前記監視装置は、前記デジタル復調器から伝送路を介して送出されるＩ／Ｑ相データを受信する受信手段と、前記受信手段で受信されたＩ／Ｑ相データを保存するデータメモリと、データを表示するための表示部と、前記受信手段で受信したＩ／Ｑ相データあるいは前記データメモリに保存されたＩ／Ｑ相データに基づいてＩ／Ｑ平面とＩ／Ｑコンスタレーションを前記表示部にモニタ表示するコンスタレーション表示手段と、前記表示部に表示するＩ／Ｑ相データの変調方式に基づいて前記Ｉ／Ｑ平面上に前記受信データのシンボル判定に用いる境界線を表示する境界線表示手段とを具備することを特徴とする。
【発明の効果】
【０００８】
本発明によれば、デジタル復調器のＩ／Ｑコンスタレーションを測定環境の影響を受けることなく容易にモニタリングでき、測定や動作確認を確実に行うことができる。また、デジタル復調器から送られてくるＩ／Ｑ相データをデータメモリに格納することにより、データ解析する際に何時でもデータメモリから格納データを読出してＩ／Ｑコンスタレーションをモニタ表示することができる。
【発明を実施するための最良の形態】
【０００９】
以下、図面を参照して本発明の一実施形態を説明する。
【００１０】
図１は、本発明の一実施形態に係る変復調器の監視システム全体を示す構成図である。図１において、１０はデジタル変復調処理を行うデジタル変復調器で、この変復調器１０で処理されたＩ／Ｑ相のデータは、シリアルの伝送路１５により監視装置であるＰＣ（パーソナルコンピュータ）２０へ送られる。ＰＣ２０は、変復調器１０から送られてきたＩ／Ｑ相のデータをデータメモリに保存すると共に、受信データあるいは保存データに基づいてＩ／Ｑ相のコンスタレーションをモニタ表示する。
【００１１】
上記変復調器１０は、ＤＳＰ１１１、制御回路１２及びシリアル入出力回路１３を備えている。ＤＳＰ１１１は、例えば変復調処理を行うＤＳＰ（Digital Signal Processor）１１１及び変復調処理したＩ／Ｑ相のデータを一時記憶するＤＰ−ＲＡＭ（Dual Port-RAM）１１２により構成される。ＤＳＰ１１１は、等化後のＩ／Ｑ相のデータを３２ビット構成のfloat型のデータで保持しており、ＤＰ−ＲＡＭ１１２への書込みに際して８ビット構成のchar型のデータに変換する。
【００１２】
ＤＳＰ１１１は、上記Ｉ／Ｑ相のデータを規格に定められた一定間隔例えば９３．３ｍｓ毎にＤＰ−ＲＡＭ１１２の書込むが、その際、制御回路１２に対して割込み信号を出力する。制御回路１２は、例えばＣＰＵを用いて構成され、ＤＳＰ１１１から割込み信号を受信すると、ＤＰ−ＲＡＭ１１２からＩ／Ｑ相のデータを読込み、この読込んだＩ／Ｑ相のデータをシリアル入出力回路１３から伝送路１５により一定の通信速度例えば９６００ｂｐｓの速度でＰＣ２０へシリアル通信で通知する。
【００１３】
ＰＣ２０は、例えばＣＰＵを用いた制御回路２１に対し、表示部２２、シリアル入出力回路２３、キーボード等の操作部２４、データメモリ２５及び各種制御プログラムを記憶してなるプログラムメモリ２６がバスライン２７を介して接続される。上記データメモリ２５及びプログラムメモリ２６は、例えばハードディスク上に構成される。
【００１４】
上記制御回路２１は、プログラムメモリ２６に格納されたプログラムに従って動作し、変復調器１０から送られてくるＩ／Ｑ相のデータに基づいて表示部２２にコンスタレーションを表示する機能を備えると共に、通信環境と受信データ（ファイル）を認識して通信環境、受信データ、ＩＱ動画を管理する機能を備えている。この場合、例えばＩＤ（Identification）を受信日時とし、基本データファイル、受信データファイル、ＩＱ動画ファイルを管理する。また、制御回路２１はデータメモリ２５に格納したデータの履歴を管理する履歴管理機能を備えている。
【００１５】
上記基本データファイルは、主に変調方式、各種モード内容、受信ファイルサイズ、データ誤り数等である。受信データは、変復調器１０から送られてくるデータで、受信時にそのまま保存する。上記ＩＱ動画ファイルは、受信を認識してから取込みを開始し、終了までファイルの取込みを行って保存する。
【００１６】
上記表示部２２は、図２に示すように例えばモニタ表示部３１、履歴表示部３２を備えると共に、履歴表示部３２の下方に録画ボタン３３、再生ボタン３４、表示ボタン３５を備えている。
【００１７】
上記モニタ表示部３１には、変復調器１０の制御回路１２からＰＣ２０に送られてきたＩ／Ｑ相のデータに基づいてコンスタレーションが表示される。履歴表示部３２には、制御回路１２から送られてきたデータをＰＣ２０が録画した場合に、その録画したファイルの履歴が表示される。録画ボタン３３は、録画の開始・終了を指示するトグル式ボタンである。再生ボタン３４は、履歴表示部３２に表示された履歴を選択した場合に、その選択されたファイルの再生・終了を指示するトグル式ボタンである。表示ボタン３５は、現時点におけるコンスタレーションの表示に戻るためのボタンである。
【００１８】
以下、上記変復調器１０におけるＤＳＰ１１１、ＤＰ−ＲＡＭ１１２、制御回路１２及びＰＣ２０について更に詳細に説明する。
【００１９】
ＤＳＰ１１１は、Ｉ／Ｑ相のデータをＤＰ−ＲＡＭ１１２に書込む際、図３に示すようにfloat型のＩ／Ｑ相のデータ（３２ビット）、すなわち浮動小数点による例えば「−５．０」〜「５．０」のデータを１０進数の値「０」〜「１００」に正規化し、この１０進数の値をＤＰ−ＲＡＭ１１２の１バイト（byte）で表現できるようにchar型（８ビット）のデータ「０ｘ００」〜「０ｘ６４」（１６進表示）に変換し、ＤＰ−ＲＡＭ１１２へ書込む。
【００２０】
ＤＰ−ＲＡＭ１１２は、上記Ｉ／Ｑ相のデータ（８ビット）の受け渡しに最大４００バイトの領域を使用する。この使用する領域は、変調方式によって異なり、変調方式１（３２ＱＡＭ）、変調方式２（１６ＱＡＭ）では４００バイト、変調方式３（ＱＰＳＫ）では２８０バイトである。
【００２１】
ＤＳＰ１１１では、Ｉ相及びＱ相にそれぞれ２００バイト（変調方式１、２）、または１４０バイト（変調方式３）のデータ保持領域がある。
【００２２】
図４は、変調方式１、２におけるＤＳＰ１１１の内部データ（float型）の保持例を示したもので、０番地〜１９９番地のアドレスにＩ相のデータ（ランダム）を保持し、２００番地〜３９９番地のアドレスにＱ相のデータ（ランダム）を保持している。
【００２３】
図５は、変調方式３（ＱＰＳＫ）におけるＤＳＰ１１１の内部データ（float型）の保持例を示したもので、０番地〜１３９番地のアドレスにＩ相のデータ（ランダム）を保持し、２００番地〜３３９番地のアドレスにＱ相のデータ（ランダム）を保持している。
【００２４】
制御回路１２は、ＤＳＰ１１１から割込み信号を受信すると、ＤＰ−ＲＡＭ１１２に保持されているＩ／Ｑ相のデータ（char型）を読込み、１６ＱＡＭ又はＱＰＳＫのデータを伝送路１５により例えば図６に示すデータフォーマットを使用して監視装置であるＰＣ２０へシリアル通信で送信する。
【００２５】
この場合、制御回路１２は、データの変調方式が変調方式１、２であれば、
４００バイト＝４００×８ビット＝３２００ビット
また、変調方式３であれば、
２８０バイト＝２８０×８ビット＝２２４０ビット
のデータをシリアル入出力回路１３から伝送路１５を介してＰＣ２０へ送信する。
【００２６】
上記図６に示すデータフォーマットは、例えば「ＳＴＸ（Start of TeXt）」、「コマンド」、「通知種別」、「変調方式」、「Ｉ相データ」、「Ｑ相データ」、「ＥＴＸ（End of TeXt）」の順に配列されている。使用バイト数は、「Ｉ相データ」及び「Ｑ相データ」がそれぞれ２００バイト、その他は各１バイトとなっている。また、「変調方式」は、例えば変調方式１（０ｘ００）〜３（０ｘ０２）の中から選択して使用される。
【００２７】
ＰＣ２０は、変復調器１０の制御回路１２からシリアル入出力回路１３及び伝送路１５を介して送られてくる上記図６に示したフォーマットのデータを受信すると変調方式を識別し、コンスタレーション表示するバイト分のＩ／Ｑ相のデータを取得し、この取得したＩ／Ｑ相のデータに基づくコンスタレーションをモニタ表示部３１に表示する。
【００２８】
図７は上記モニタ表示部３１に表示される基本的なコンスタレーションを拡大表示したもので、座標Ａはchar型のＩ／Ｑ相のデータ（０ｘ５０，０ｘ５１）を取得した場合である。このchar型のＩ／Ｑ相のデータ（０ｘ５０，０ｘ５１）を正規化（１０進数）すると（８０，８１）が得られるので、それを変復調回路１１のＤＳＰ１１１におけるfloat型のＩ／Ｑ相のデータと同じ「−５．０」〜「５．０」の範囲に補正する。
【００２９】
上記「−５．０」〜「５．０」の範囲への補正式は、
（（Ｘ−５０）／１０，（Ｙ−５０）／１０）・・・（１）
とする。
【００３０】
上記（１）式より、Ｉ相軸（Ｘ軸）の「８０」とＱ相軸（Ｙ相軸）の「８１」から「５０」を減算し、その減算結果（３０，３１）を「１０」で割ることで座標を（３．０，３．１）と補正してプロットする。
【００３１】
同様に図７の座標Ｂにおいて、ＰＣ２０がＩ／Ｑ相のデータ（０ｘ１１，０ｘ１４）を取得した場合、そのデータを正規化（１０進数）すると（１７，２０）が得られるので、それを上記（１）式で「−５．０」〜「５．０」の範囲に補正し、その補正結果（−３．３，−３．０）をプロットして表示する。
【００３２】
ＰＣ２０の制御回路２１は、以下同様に変復調器１０の制御回路１２からシリアル入出力回路１３及び伝送路１５を介して送られてくるＩ／Ｑ相のデータをシリアル入出力回路２３を介して取得し、この取得したＩ／Ｑ相のデータを正規化した後、「−５．０」〜「５．０」の範囲に補正し、その補正結果をモニタ表示部３１に表示する。
【００３３】
上記のようにＤＳＰ１１１が保持しているfloat型（３２ビット）のＩ／Ｑ相のデータをchar型（８ビット）に変換してＤＰ−ＲＡＭ１１２に書込んだ後、そのＩ／Ｑ相のデータを制御回路１２により読出してＰＣ２０へ出力し、このＰＣ２０で上記制御回路１２から送られてきたＩ／Ｑ相のデータを正規化した後、「−５．０」〜「５．０」の範囲に補正してコンスタレーション表示することにより、ＤＳＰ１１１に対して環境的にデジタルオシロスコープを接続できない場合であっても、ＰＣ２０の表示部１６にコンスタレーションを表示でき、ＤＳＰ１１１における動作状態を容易にモニタでき、デバック時にデータがどこで誤っているかの判断材料として利用できると共に、メンテナンス時においても利用することができる。
【００３４】
上記ＰＣ２０の制御回路２１は、上記コンスタレーションの表示機能と共に、下記に示す各種の機能を備えている。
【００３５】
（１）コンスタレーション表示において、受信データのシンボル判定に用いる境界線を表示する機能。
【００３６】
（２）コンスタレーション表示において、デマッピングポイントの良好な範囲を表示する機能。
【００３７】
（３）Ｉ／Ｑ相のデータを保存するログ機能。
【００３８】
i）データ履歴管理：録画したデータを管理する。
【００３９】
ii）Ｚコマンド受信データ：受信データを保存する。
【００４０】
iii）受信データの再生：受信したデータを再生する。
【００４１】
上記各機能について、以下に詳細に説明する。
【００４２】
図８は、上記（１）、（２）項の機能を実行するためのフローチャート、図９はその時のモニタ画面表示例を示す図である。なお、図９は１６ＱＡＭ（Quadrature Amplitude Modulation）の直交変調方式を用いた場合のマッピング表示例を示している。
【００４３】
ＰＣ２０の制御回路２１は、変復調器１０から送られてくるＩ／Ｑ相データの変調方式（１〜３）を常に監視しており（ステップＡ１）、変調方式に変化がなければプログラム終了か否かを判断し（ステップＡ２）、プログラム終了でなければ一定時間例えば１秒間そのまま待機し（ステップＡ３）、その後、ステップＡ１に戻って変調方式が変更されかどうかを監視する。すなわち、制御回路２１は、プログラム開始から終了まで、受信データにおける変調方式（１〜３）の変更を１秒周期で監視している。
【００４４】
上記ステップＡ１で変調方式が変更されたと判断されると、図９に示すようにモニタ表示部３１に表示されているコンスタレーション画面において、マッピングの境界線４１を変更する（ステップＡ４）。なお、プログラム開始時においては、その時の変調方式１〜３に応じてマッピングの境界線４１を新たに描画する。
【００４５】
変調方式が１６ＱＡＭの場合は、内側と外側の２層にマッピングポイントが表示されるので、内側のマッピングポイントと外側のマッピングポイントとの間に円状の境界線４１を表示すると共に、外側に位置する各マッピングポイントの間に境界線４１を表示する。
【００４６】
上記境界線４１の変更処理を終了した後、デマッピングポイントの良好範囲４２を変更する（ステップＡ５）。この良好範囲４２は、良好な通信状態におけるデマッピングポイントの範囲を示すもので、プログラム開始時においては、その時の変調方式１〜３に応じて新たに描画する。
【００４７】
その後、ステップＡ２に戻り、プログラム終了か否かを判断し、終了でなければステップＡ３を経由してステップＡ１に戻り、上記した変調方式変更監視動作を継続する。上記ステップＡ２でプログラム終了と判断された場合は、上記変調方式変更監視動作を終了する。
【００４８】
上記のようにモニタ画面に境界線４１及び良好範囲４２を表示することによって、回線品質等をきわめて容易に判断することができる。
【００４９】
上記図９は１６ＱＡＭの直交変調方式を用いた場合のマッピング表示例について示したが、その他の方式を用いた場合においても同様にして境界線４１及び良好範囲４２を表示することができる。
【００５０】
図１０は３２ＱＡＭの直交変調方式を用いた場合のマッピング表示例を示している。変調方式が３２ＱＡＭの場合は、内側、中間、外側の３層にマッピングポイントが表示されるので、内側のマッピングポイントと中間のマッピングポイントとの間、及び中間のマッピングポイントと外側のマッピングポイントとの間にそれぞれ円状の境界線４１を表示すると共に、中間及び外側に位置する各マッピングポイントの間に境界線４１を表示する。
【００５１】
なお、上記図９及び図１０に示した例では、境界線４１と良好範囲４２の両方を表示する場合について示したが、何れか一方を表示するようにしても良い。
【００５２】
次に上記（３）項のＩ／Ｑ相のデータを保存するログ機能について説明する。
【００５３】
i）データ履歴管理
ａ．受信データのファイルをデータメモリ２５内の決められたフォルダに保存して管理する。
【００５４】
ｂ．ファイルをデータメモリ２５に保存する際、ファイルの履歴が履歴最大件数を超える場合は、最古のファイルを削除して新しいファイルを保存する。
【００５５】
ｃ．保存するファイル名は、例えば図１１に示すように「録画開始日付＋時間＋変調方式．ｉｑ」とする。
【００５６】
図１１は、ファイル名の一例を示したもので、最初の「２００８０５２２」は録画開始日付（年．月．日）、次の「１０００００」は時間、「ＸＸＸＸ」は変調方式、「ｉｑ」は任意の拡張子である。なお、上記時間を示す６桁の数値は、２桁ずつ「ｈｈ／ｍｍ／ｓｓ」を表している。また、履歴表示部３２に表示する履歴は、保存した最新のファイル名を上位として順次表示する。
【００５７】
ii）Ｚコマンド受信データ
Ｉ／Ｑ相のデータを録画する場合は、表示部２２に設けられている録画ボタン３３を押下する。制御回路２１は、録画ボタン３３が押下されると、変復調器１０から送られてくるＺコマンドのＩ／Ｑ相のデータをバイナリデータでデータメモリ２５に記憶する。
【００５８】
図１２は録画開始処理を示すフローチャート、図１３は録画終了処理を示すフローチャートである。変復調器１０から順次送られてくるＩ／Ｑ相のデータをデータメモリ２５に所定時間保存することでＩＱ動画ファイルを作成する。
【００５９】
録画ボタン３３が押下されると、図１２に示すように録画開始イベントの処理プログラムがプログラムメモリ２６から読出され（ステップＢ１）、最大録画時間を監視するタイマーにより録画時間の計測を開始する（ステップＢ２）。また、上記したように録画開始日付、時間等をファイル名にしてファイル作成を開始し（ステップＢ３）、データメモリ２５に保存する。
【００６０】
そして、上記録画処理が行われている場合において、録画ボタン３３が押下された場合、あるいは上記録画時間監視用タイマーにより最大録画時間の超過が検知されると、図１３に示すように録画終了イベント又はタイマーイベントの処理プログラムがプログラムメモリ２６から読出される（ステップＣ１）。録画処理中に録画ボタン３３が押下された場合は、録画の停止が指示される。
【００６１】
その後、録画時間監視用タイマーが起動中か否かの判定が行われ（ステップＣ２）、タイマー起動中であればタイマーが停止される（ステップＣ３）。また、上記ステップＣ２でタイマーが起動中ではないと判断された場合、あるいはステップＣ３の処理を終了した場合、データの書込みを終了し、ファイルを完成させる（ステップＣ４）。
【００６２】
次いで、履歴が最大かどうか、すなわち、履歴ファイルと新しく作成したファイルの合計が「最大件数＋１」かどうかを判定し（ステップＣ５）、履歴が最大でなければ新しい履歴を追加し、履歴表示部３２の表示を更新する（ステップＣ６）。
【００６３】
また、ステップＣ５で履歴が最大であると判定された場合は、最古のファイルを削除し（ステップＣ７）、その後、ステップＣ６に進んで新しい履歴を追加し、履歴表示部３２の表示を更新する。
【００６４】
以上で録画処理を終了する。
【００６５】
iii）受信データの再生
ａ．録画したデータを再生する場合は、履歴表示部３２に表示されているファイルを選択し、再生ボタン３４を押下する。
【００６６】
ＰＣ２０の制御回路２１は、ファイルが選択されて再生ボタン３４が押下されると、データメモリ２５から指定ファイルを読出して過去のＩ／Ｑ相のデータを再生し、図１４に示すようにてモニタ表示部３１に表示する。この場合、過去データの再生かどうかを識別するため、再生中の場合は、例えば画面右上の表示エリア４４に「再生中」の動作表示と再生ファイル名「２００８０５２２１０００００ＸＸＸＸ」を表示する。
【００６７】
図１５は録画データの再生開始処理を示すフローチャート、図１６は再生終了処理を示すフローチャートである。
【００６８】
履歴表示部３２に表示されているファイルが選択され、再生ボタン３４が押下されると、制御回路２１は、図１５に示すように再生開始イベントの処理プログラムをプログラムメモリ２６から読出し（ステップＤ１）、終了フラグが“ＴＲＵＥ”であるか“ＦＡＬＳＥ”であるかをチェックし（ステップＤ２）、“ＦＡＬＳＥ”であれば再生するファイルで再生するデータがデータメモリ２５に残っているかどうかをチェックする（ステップＤ３）。再生するデータが残っていれば、制御回路２１はデータメモリ２５から１データ分（４００バイト）のデータを読込み（ステップＤ４）、図１４に示したようにモニタ表示部３１にＩ／Ｑ相のコンスタレーションを表示し（ステップＤ５）、ステップＤ２に戻る。
【００６９】
ステップＤ２で終了フラグが“ＴＲＵＥ”であると判定された場合、あるいはステップＤ３で再生するデータが残っていないと判定された場合は、終了フラグを“ＦＡＬＳＥ”とし（ステップＤ６）、再生開始処理を終了する。
【００７０】
また、上記再生処理中に再生を中止する場合には、再生ボタン３４を押下する。再生動作中に再生ボタン３４が押下されると、再生動作の中止が指示される。
【００７１】
制御回路２１は、再生処理中に再生ボタン３４が押下されると、図１６に示すように再生終了イベントの処理プログラムをプログラムメモリ２６から読出し（ステップＥ１）、終了フラグを“ＴＲＵＥ”とし（ステップＥ２）、処理を終了する。
【００７２】
また、上記再生後、表示ボタン３５が押下されると、現在の受信データに対するコンスタレーションをモニタ表示部３１に表示する。
【００７３】
上記のようにＰＣ２０にログ機能を備えることにより、解析処理を行う場合に必要な情報を豊富にロギングできると共に、何時でも容易に録画データを再生することが可能となり、解析処理を正確且つ迅速に行うことが可能になる。
【００７４】
なお、本発明は、上記実施形態そのままに限定されるものではなく、実施段階ではその要旨を逸脱しない範囲で構成要素を変形して具体化できるものである。
【図面の簡単な説明】
【００７５】
【図１】本発明の一実施形態に係る変復調器の監視システムを示す構成図である。
【図２】同実施形態における表示部の構成例を示す図である。
【図３】同実施形態におけるfloat型のＩ／Ｑ相のデータをchar型のデータに変換する場合の説明図である。
【図４】同実施形態における変復調回路のデータ保持例を示す図である。
【図５】同実施形態における変復調回路のデータ保持例を示す図である。
【図６】同実施形態における変復調器から監視装置（ＰＣ）へ送信するデータのフォーマットを示す図である。
【図７】同実施形態における基本的なコンスタレーション表示例を示す図である。
【図８】同実施形態におけるコンスタレーションの表示処理を示すフローチャートである。
【図９】同実施形態において、１６ＱＡＭの変調方式を用いた場合のモニタ画面表示例を示す図である。
【図１０】同実施形態において、３２ＱＡＭの変調方式を用いた場合のモニタ画面表示例を示す図である。
【図１１】同実施形態において、保存するデータのファイル名の一例を示す図である。
【図１２】同実施形態における録画開始処理を示すフローチャートである。
【図１３】同実施形態における録画終了処理を示すフローチャートである。
【図１４】同実施形態におけるＩ／Ｑデータ再生時のモニタ画面表示例を示す図である。
【図１５】同実施形態における録画データの再生開始処理を示すフローチャートである。
【図１６】同実施形態における録画データの再生終了処理を示すフローチャートである。
【符号の説明】
【００７６】
１０…変復調器、１１１…ＤＳＰ、１１２…ＤＰ−ＲＡＭ、１２…制御回路、１３…シリアル入出力回路、１５…伝送路、２０…ＰＣ（パーソナルコンピュータ）、２１…制御回路、２２…表示部、２３…シリアル入出力回路、２４…操作部、２５…データメモリ、２６…プログラムメモリ、３１…モニタ表示部、３２…履歴表示部、３３…録画ボタン、３４…再生ボタン、３５…表示ボタン、４１…境界線、４２…良好範囲、４４…表示エリア。
【図１】
2010021861.tif 000003
【図２】
2010021861.tif 000004
【図３】
2010021861.tif 000005
【図４】
2010021861.tif 000006
【図５】
2010021861.tif 000007
【図６】
2010021861.tif 000008
【図７】
2010021861.tif 000009
【図８】
2010021861.tif 000010
【図９】
2010021861.tif 000011
【図１０】
2010021861.tif 000012
【図１１】
2010021861.tif 000013
【図１２】
2010021861.tif 000014
【図１３】
2010021861.tif 000015
【図１４】
2010021861.tif 000016
【図１５】
2010021861.tif 000017
【図１６】
2010021861.tif 000018